(57)【要約】【課題】オプションユニットの異常検知についての迅速性向上やコスト低減を実行する。【解決手段】ファクシミリ装置であって、制御部は、印刷ユニットに近い側を上位として直列に接続された給紙ユニットのうち最上位の給紙ユニットの上位側信号線と接続する下位側信号線を有し、給紙ユニットは、上位の給紙ユニットの下位側信号線あるいは制御部の下位側信号線と接続する上位側信号線と、下位の給紙ユニットの上位側信号線と接続する下位側信号線とを有し、初期状態では上位側信号線の電位を第１電位とし、通常状態では上位側信号線の電位を前記第１電位と異なる第２電位とし、制御部は、通常状態の給紙ユニットに給紙の指示を行い、下位側信号線の電位が第２電位から変化したことにより給紙ユニットの少なくとも一つに異常が発生したことを検知する。【選択図】図４
2015154116.tif 000002
【特許請求の範囲】
【請求項１】
原稿を読み取るスキャナーユニットと、
前記読み取りにより生成された画像データの外部へのファクシミリ送信と、外部からファクシミリ送信された画像データの受信とを実行可能なファクシミリユニットと、
前記受信された画像データに基づく画像を供給された用紙へ印刷する印刷ユニットと、
前記用紙を供給するための給紙ユニットと、
前記各ユニットと通信可能な制御部と、を備えるファクシミリ装置であって、
前記制御部は、前記印刷ユニットに近い側を上位として直列に接続された前記給紙ユニットのうち最上位の給紙ユニットの上位側信号線と接続する下位側信号線を有し、
前記給紙ユニットは、上位の給紙ユニットの下位側信号線あるいは前記制御部の下位側信号線と接続する上位側信号線と、下位の給紙ユニットの上位側信号線と接続する下位側信号線とを有し、初期状態では上位側信号線の電位を第１電位とし、通常状態では上位側信号線の電位を前記第１電位と異なる第２電位とし、
前記制御部は、前記通常状態の前記給紙ユニットに給紙の指示を行い、
前記給紙ユニットは、前記給紙の指示に応じて、蓄積した用紙あるいは下位の給紙ユニットから供給された用紙を上位の給紙ユニットあるいは前記印刷ユニットへ供給し、
前記制御部は、前記下位側信号線の電位が前記第２電位から変化したことにより前記給紙ユニットの少なくとも一つに異常が発生したことを検知する、ことを特徴とするファクシミリ装置。
【請求項２】
前記給紙ユニットは、前記上位側信号線と前記下位側信号線とを接続する接続回路を有し、当該接続回路は、下位の給紙ユニットに異常が発生したことによる前記下位側信号線の前記第２電位からの電位変化に応じて、前記上位側信号線の電位を前記第２電位から変化させることを特徴とする請求項１に記載のファクシミリ装置。
【請求項３】
前記接続回路は、前記上位側信号線の電位を前記第２電位から切替えるスイッチと、当該スイッチの動作に必要な電源を供給する電源供給部とを備え、当該電源供給部は、前記給紙ユニットが前記通常状態となった場合に電源の供給を開始し、当該スイッチは、前記下位側信号線の前記第２電位からの電位変化に応じて、前記切替えを実行することを特徴とする請求項２に記載のファクシミリ装置。
【請求項４】
通信を制御する制御部を含む通信システムに一台以上接続されるオプションユニットであって、
接続が上位のオプションユニットの下位側信号線あるいは前記制御部が備える下位側信号線と接続する上位側信号線と、
接続が下位のオプションユニットの上位側信号線と接続する下位側信号線と、
制御回路と、を有し、
前記制御回路は、初期状態では上位側信号線の電位を第１電位とし、通常状態では上位側信号線の電位を前記第１電位と異なる第２電位とし、
下位のオプションユニットに異常が発生したことによる前記下位側信号線の前記第２電位からの電位変化に応じて、前記上位側信号線の電位を前記第２電位から変化させる、ことを特徴とするオプションユニット。
【請求項５】
前記制御部が通信により制御する印刷ユニットへ、前記制御部からの指示に応じて用紙を供給する給紙ユニットであることを特徴とする請求項４に記載のオプションユニット。
【請求項６】
オプションユニットを一台以上接続する通信システムを制御する制御装置であって、
直列で接続している前記オプションユニットのうち接続が最上位の前記オプションユニットと接続する信号線を有し、
前記信号線の電位の変化により前記オプションユニットの少なくとも一つに異常が発生したことを検知する、ことを特徴とする制御装置。
【発明の詳細な説明】
【技術分野】
【０００１】
本発明は、ファクシミリ装置、オプションユニットを接続した通信システムを制御する制御装置および当該オプションユニットに関する。
【背景技術】
【０００２】
ファクシミリ機能やコピー・印刷機能などを備えた複合機等の本体に対し、ユーザーがオプションユニットとしての給紙カセット（給紙ユニット）を任意に増設可能である構成が知られている。
【０００３】
関連技術として、給紙ユニットが装着された本体側が自動的に給紙ユニットを認識する技術が提案されている（特許文献１，２参照）。
【先行技術文献】
【特許文献】
【０００４】
【特許文献１】特開２００２‐２５５３８２号公報
【特許文献２】特開２００３‐１６２１８１号公報
【発明の概要】
【発明が解決しようとする課題】
【０００５】
上述したような給紙ユニットでは、供給される電源電圧や内部で生成するロジック電源などの異常、静電気の発生、等に起因して、個々にリセットされる（駆動を停止し初期状態に戻る）ことがある。この場合、前記本体側では、できるだけ早期に当該リセット（いずれかのオプションユニットにおける異常発生）を検知し、装置全体を安全に停止させる等の処理を行なう必要がある。従来、このようなオプションユニットにおける異常発生の検知に関し、検知の迅速性や検知に要する配線コスト等に改善の余地があった。
【０００６】
本発明は上述の課題の少なくとも一つを解決するためになされたものであり、オプションユニットの異常検知の迅速性向上やコスト低減に有効であるファクシミリ装置、オプションユニットおよび制御装置を提供する。
【課題を解決するための手段】
【０００７】
本発明の態様の一つは、原稿を読み取るスキャナーユニットと、前記読み取りにより生成された画像データの外部へのファクシミリ送信と、外部からファクシミリ送信された画像データの受信とを実行可能なファクシミリユニットと、前記受信された画像データに基づく画像を供給された用紙へ印刷する印刷ユニットと、前記用紙を供給するための給紙ユニットと、前記各ユニットと通信可能な制御部と、を備えるファクシミリ装置であって、前記制御部は、前記印刷ユニットに近い側を上位として直列に接続された前記給紙ユニットのうち最上位の給紙ユニットの上位側信号線と接続する下位側信号線を有し、前記給紙ユニットは、上位の給紙ユニットの下位側信号線あるいは前記制御部の下位側信号線と接続する上位側信号線と、下位の給紙ユニットの上位側信号線と接続する下位側信号線とを有し、初期状態では上位側信号線の電位を第１電位とし、通常状態では上位側信号線の電位を前記第１電位と異なる第２電位とし、前記制御部は、前記通常状態の前記給紙ユニットに給紙の指示を行い、前記給紙ユニットは、前記給紙の指示に応じて、蓄積した用紙あるいは下位の給紙ユニットから供給された用紙を上位の給紙ユニットあるいは前記印刷ユニットへ供給し、前記制御部は、前記下位側信号線の電位が前記第２電位から変化したことにより前記給紙ユニットの少なくとも一つに異常が発生したことを検知する。
【０００８】
本発明によれば、ファクシミリ装置に搭載された各給紙ユニットは、初期状態では上位側信号線の電位を第１電位とし、通常状態では上位側信号線の電位を前記第１電位と異なる第２電位とする。そのため、最下位の位置の給紙ユニットから順に初期化処理が実行され、全ての給紙ユニットで初期化処理が完了したとき、制御部の下位側信号線の電位も第２電位となる。一方、いずれかの給紙ユニットで異常が発生した場合、当該給紙ユニットの上位側信号線の電位が第２電位から変化し、当該変化は上位へ伝わる。従って、制御部は、下位側信号線の電位が第２電位から変化したことにより、給紙ユニットの少なくとも一つに異常が発生したことを素早く検知することができる。また本発明によれば、制御部は、給紙ユニット個々の異常を検知するための給紙ユニットそれぞれと接続する専用の制御線を設ける必要がないため、当該異常検知に要するコストを抑えることができる。
【０００９】
本発明の態様の一つは、前記給紙ユニットは、前記上位側信号線と前記下位側信号線とを接続する接続回路を有し、当該接続回路は、下位の給紙ユニットに異常が発生したことによる前記下位側信号線の前記第２電位からの電位変化に応じて、前記上位側信号線の電位を前記第２電位から変化させるとしてもよい。
当該構成によれば、給紙ユニットは、下位の給紙ユニットに異常が発生したことによる電位変化を確実かつ迅速に上位へ伝えることができる。
【００１０】
本発明の態様の一つは、前記接続回路は、前記上位側信号線の電位を前記第２電位から切替えるスイッチと、当該スイッチの動作に必要な電源を供給する電源供給部とを備え、当該電源供給部は、前記給紙ユニットが前記通常状態となった場合に電源の供給を開始し、当該スイッチは、前記下位側信号線の前記第２電位からの電位変化に応じて、前記切替えを実行するとしてもよい。
当該構成によれば、給紙ユニットは、初期化処理を完了した後に、下位の給紙ユニットでの異常発生による電位変化の上位への伝達を実行できる状態となる。
【００１１】
本発明の技術的思想は、上述したファクシミリ装置のみによって実現されるものではなく、前記制御部と前記給紙ユニットとの関係のように、通信システムを制御する制御部（制御装置）と当該通信システムの一部として接続されたオプションユニットとの関係において、広く実現される。一例として、通信を制御する制御部を含む通信システムに一台以上接続されるオプションユニットであって、接続が上位のオプションユニットの下位側信号線あるいは前記制御部が備える下位側信号線と接続する上位側信号線と、接続が下位のオプションユニットの上位側信号線と接続する下位側信号線と、制御回路と、を有し、前記制御回路は、初期状態では上位側信号線の電位を第１電位とし、通常状態では上位側信号線の電位を前記第１電位と異なる第２電位とし、下位のオプションユニットに異常が発生したことによる前記下位側信号線の前記第２電位からの電位変化に応じて、前記上位側信号線の電位を前記第２電位から変化させる構成を一つの発明として捉えることができる。
前記オプションユニットは、例えば、前記制御部が通信により制御する印刷ユニットへ、前記制御部からの指示に応じて用紙を供給する給紙ユニットである。
【００１２】
また、オプションユニットを一台以上接続する通信システムを制御する制御装置であって、直列で接続している前記オプションユニットのうち接続が最上位の前記オプションユニットと接続する信号線を有し、前記信号線の電位の変化により前記オプションユニットの少なくとも一つに異常が発生したことを検知する構成を一つの発明として捉えることができる。
【００１３】
むろん、前記オプションユニットと前記制御部（制御装置）とを含むシステムも一つの発明であり、このようなシステムは、一台の独立した製品内に存在してもよいし、複数台の製品に跨って存在してもよい。また、前記ファクシミリ装置、前記オプションユニット、前記制御部（制御装置）それぞれが実行する処理工程を備える各方法の発明や、それら方法の各工程をハードウェア（コンピューター）に実行させるコンピュータープログラム、さらには当該プログラムを記録したコンピューター読み取り可能な記録媒体、等の各種カテゴリーにて本発明が実現されてもよい。
【図面の簡単な説明】
【００１４】
【図１】本実施形態にかかる装置構成を概略的に示す図である。
【図２】ユニット側制御部間の接続態様等を例示する図である。
【図３】識別情報設定処理を示すフローチャートである。
【図４】接続回路を有するユニット側制御部を例示する図である。
【図５】他の例にかかる接続回路を有するユニット側制御部を示す図である。
【発明を実施するための形態】
【００１５】
本発明の実施形態を、以下の順序に従って説明する。
１．装置構成の概略
２．オプションユニットの識別情報の設定
３．オプションユニットの異常検知
４．他の実施形態
【００１６】
１．装置構成の概略
図１は、本実施形態にかかるファクシミリ装置１０の構成を概略的に示している。ファクシミリ装置１０は、複合機１０とも呼ぶ。複合機１０は、本体側制御部１１、ファクシミリユニット２０、スキャナーユニット３０、印刷ユニット４０（以上、本体）を含む。また、複合機１０は、当該本体に対してユーザーが増設可能な「オプションユニット」の一種として、給紙ユニット５０を１台以上搭載している。給紙ユニット５０は、給紙カセット等と呼んでも良い。図１では、３台の給紙ユニット５０が搭載された例を示している。
【００１７】
複合機１０に搭載されたときに印刷ユニット４０に最も近い位置（最上位）の給紙ユニット５０を給紙ユニット５０Ａ、給紙ユニット５０Ａの一つ下位の給紙ユニット５０を給紙ユニット５０Ｂ、給紙ユニット５０Ｂの一つ下位の給紙ユニット５０を給紙ユニット５０Ｃ、とも表記する。給紙ユニット５０Ｃより下位の位置に、給紙ユニット５０が更に増設されてもよい（図１において破線の矩形で示した位置参照）。本実施形態において、印刷ユニット４０との関係で給紙ユニット５０間の上位、下位、を言う場合は、印刷ユニット４０に近いものをより上位と捉えるが、鉛直方向における上下を意味するとは限らない。
【００１８】
本体側制御部１１では、ＣＰＵ１２が、例えば、ＲＯＭ１３に記憶されたプログラムをＲＡＭ１４等のメモリーに展開してプログラムに従った演算を行なうことにより、複合機１０の挙動を制御する。本体側制御部１１は、特許請求の範囲における「制御部」や「制御装置」の一例に該当する。本体側制御部１１は、ファクシミリユニット２０、スキャナーユニット３０、印刷ユニット４０、給紙ユニット５０と通信可能に接続しており、これらファクシミリユニット２０、スキャナーユニット３０、印刷ユニット４０、給紙ユニット５０を制御する。
【００１９】
ファクシミリユニット２０は、不図示のファクシミリ通信回線と接続するモデムを備える。ファクシミリユニット２０は、本体側制御部１１の指示に基づいて、当該通信回線を介して外部からファクシミリ送信された画像データの受信や受信した画像データの解凍、および、スキャナーユニット３０による読み取りにより生成された画像データの圧縮や圧縮後の画像データの当該通信回線を介した外部へのファクシミリ送信、を実行する。
【００２０】
スキャナーユニット３０は、本体側制御部１１の指示に基づいて、原稿台やＡＤＦ（Auto Document Feeder）等にセットされた原稿を光学センサーで読み取り、原稿の画像データ（例えばビットマップデータ）を生成する。スキャナーユニット３０によって生成された画像データは、印刷ユニット４０による印刷の対象となったり、上述したようにファクシミリユニット２０によるファクシミリ送信の対象となったりする。
【００２１】
印刷ユニット４０は、用紙へインクやトナーといった色材を用いて画像の印刷を行うユニット（印刷エンジン）である。印刷ユニット４０は、本体側制御部１１の指示に基づいて、ファクシミリユニット２０によって受信、解凍された画像データや、スキャナーユニット３０が生成した画像データや、その他図示しない画像データの入力元（複合機１０に接続されたパーソナルコンピューター（ＰＣ）、携帯型端末、デジタルスチルカメラ等）から受信した画像データに基づく印刷を行なう。印刷ユニット４０内に不図示の給紙トレイが設けられても良い。つまり印刷ユニット４０は、自身が有する給紙トレイに蓄積された用紙または給紙ユニット５０から供給された用紙Ｍに印刷を行う。従って、複合機１０としては、仮に給紙ユニット５０が搭載されていなくても本体側のみで正常に稼働する。ただし本実施形態では上述したように、複合機１０には給紙ユニット５０が１台以上搭載されている。
【００２２】
各給紙ユニット５０は同じ構成であり、ユニット側制御部５１、ローラー５７等を備える。ユニット側制御部５１は、本体側制御部１１の指示に基づいてローラー５７等の稼働を制御する。給紙ユニット５０は、内蔵するトレイに用紙Ｍを蓄積しており、ローラー５７を回転させることにより用紙Ｍを上位へ供給する。図１の例では、最も下位の給紙ユニット５０Ｃは、自己に蓄積した用紙Ｍを上位の給紙ユニット５０Ｂへ供給する。給紙ユニット５０Ｂは、自己に蓄積した用紙Ｍまたは下位の給紙ユニット５０Ｃから供給された用紙Ｍを上位の給紙ユニット５０Ａへ供給する。最も上位の給紙ユニット５０Ａは、自己に蓄積した用紙Ｍまたは下位の給紙ユニット５０Ｂから供給された用紙Ｍを印刷ユニット４０へ供給する。図１では、破線の矢印により用紙Ｍの流れを例示している（前記文献１を適宜参照）。
【００２３】
以下では、給紙ユニット５０Ａが備えるユニット側制御部５１をユニット側制御部５１Ａ、給紙ユニット５０Ｂが備えるユニット側制御部５１をユニット側制御部５１Ｂ、給紙ユニット５０Ｃが備えるユニット側制御部５１をユニット側制御部５１Ｃ、とも表記する。複合機１０は、ユーザーから各種指示を受付けたり、複合機１０の状態をユーザーに提示したりする、不図示の表示部（液晶パネル等）や操作部（ボタン、キー類やタッチパネル等）を有するとしてもよい。複合機１０は、通話（電話）機能を備えるとしてもよい。
【００２４】
２．オプションユニットの識別情報の設定
上述の構成を踏まえ、オプションユニットの識別情報（ＩＤ）設定処理について説明する。
図２は、各ユニット側制御部５１（５１Ａ，５１Ｂ，５１Ｃ）間の接続態様等を例示している。ユニット側制御部５１（５１Ａ，５１Ｂ，５１Ｃ）はいずれも同じ構成を有しており、ユニット側制御部５１としての機能を実現するために必要なプロセッサーやメモリー等を１チップ化したＳｏＣ（System-on-a-Chip）５２（５２Ａ，５２Ｂ，５２Ｃ）を有する。ＳｏＣ５２（５２Ａ，５２Ｂ，５２Ｃ）は、特許請求の範囲における「制御回路」の一例に該当し、少なくとも、ＵＡＲＴ（Universal Asynchronous Receiver Transmitter）通信のための送信（Ｔｘ）端子（５３Ａ，５３Ｂ，５３Ｃ）、ＵＡＲＴ通信のための受信（Ｒｘ）端子（５４Ａ，５４Ｂ，５４Ｃ）、下位側入力端子（５５Ａ，５５Ｂ，５５Ｃ）、上位側出力端子（５６Ａ，５６Ｂ，５６Ｃ）を有する。送信端子５３Ａ，５３Ｂ，５３Ｃ、受信端子５４Ａ，５４Ｂ，５４Ｃ、下位側入力端子５５Ａ，５５Ｂ，５５Ｃ、上位側出力端子５６Ａ，５６Ｂ，５６Ｃについては、簡略化して、送信端子５３、受信端子５４、下位側入力端子５５、上位側出力端子５６、と表現することがある（図４参照）。
【００２５】
また図２では、本体側制御部１１の主たる機能を担うＳｏＣ１１Ａ（例えば、ＣＰＵ１２、ＲＯＭ１３、ＲＡＭ１４等を１チップ化したＳｏＣ）を例示しており、ＳｏＣ１１Ａは、少なくとも、ＵＡＲＴ通信のための送信（Ｔｘ）端子１５、ＵＡＲＴ通信のための受信（Ｒｘ）端子１６、下位側入力端子１７を有する。ＳｏＣ１１Ａの送信端子１５からは信号線Ｌ１が延伸し、ＳｏＣ１１Ａの受信端子１６からは信号線Ｌ２が延伸している。図示するように、給紙ユニット５０が複合機１０へ搭載されたとき、給紙ユニット５０内のユニット側制御部５１が備える送信端子５３は信号線Ｌ２と接続し、給紙ユニット５０内のユニット側制御部５１が備える受信端子５４は信号線Ｌ１と接続する。
【００２６】
つまり、ＳｏＣ１１Ａの送信端子１５が信号線Ｌ１を介して各ユニット側制御部５１Ａ，５１Ｂ，５１Ｃの受信端子５４Ａ，５４Ｂ，５４Ｃと接続し、ＳｏＣ１１Ａの受信端子１６が信号線Ｌ２を介して各ユニット側制御部５１Ａ，５１Ｂ，５１Ｃの送信端子５３Ａ，５３Ｂ，５３Ｃと接続することにより、本体制御部１１と各ユニット側制御部５１Ａ，５１Ｂ，５１Ｃとの間でＵＡＲＴ通信を行うための環境（通信システムの一種）が構築される。
【００２７】
ＳｏＣ５２Ａ，５２Ｂ，５２Ｃが有する下位側入力端子５５Ａ，５５Ｂ，５５Ｃからは下位側信号線（ＬＬＡ，ＬＬＢ，ＬＬＣ）が延伸し、ＳｏＣ５２Ａ，５２Ｂ，５２Ｃが有する上位側出力端子５６Ａ，５６Ｂ，５６Ｃからは上位側信号線（ＵＬＡ，ＵＬＢ，ＵＬＣ）が延伸している。ＳｏＣ１１Ａが有する下位側入力端子１７からは下位側信号線Ｌ３が延伸している。下位側信号線Ｌ３，ＬＬＡ，ＬＬＢ，ＬＬＣはいずれも、抵抗Ｒを介して例えば３．３Ｖの電源Ｖｃｃによって所定のハイ（Ｈ）レベルへプルアップされる構成となっている。上位側信号線ＵＬＡ，ＵＬＢ，ＵＬＣ、下位側信号線ＬＬＡ，ＬＬＢ，ＬＬＣについても、簡略化して、上位側信号線ＵＬ、下位側信号線ＬＬ、と表現することがある（図４参照）。
【００２８】
給紙ユニット５０が複合機１０へ搭載されたとき、給紙ユニット５０内のユニット側制御部５１が備える下位側信号線ＬＬは、下位の給紙ユニット５０内のユニット側制御部５１が備える上位側信号線ＵＬと接続し、給紙ユニット５０内のユニット側制御部５１が備える上位側信号線ＵＬは、上位の給紙ユニット５０内のユニット側制御部５１が備える下位側信号線ＬＬと接続する。具体的には、図２に示すように、接続順位が最下位であるユニット側制御部５１Ｃの上位側信号線ＵＬＣは、一つ上位のユニット側制御部５１Ｂの下位側信号線ＬＬＢと接続し、ユニット側制御部５１Ｂの上位側信号線ＵＬＢは、一つ上位のユニット側制御部５１Ａの下位側信号線ＬＬＡと接続する。接続順位が最上位であるユニット側制御部５１Ａの上位側信号線ＵＬＡは、ＳｏＣ１１Ａの下位側信号線Ｌ３と接続する。
【００２９】
ＳｏＣ５２が有する端子は、図示したものに限られない。ＳｏＣ５２の仕様としては、駆動用の電源電圧の供給を受けるための電源入力端子、グラウンドと接続したＧＮＤ端子、ＳｏＣ１１Ａへ所要の割り込み信号を出力するための割り込み信号出力端子、給紙ユニット５０が備え得るセンサー類（用紙Ｍのサイズや種類等を検知するセンサー、トレイの抜き差しを検知するセンサー、紙詰りを検知するセンサー、等）による検知結果をＳｏＣ１１Ａへ通信するための端子、等を備えるとしてもよい。
【００３０】
図３は、識別情報（ＩＤ）設定処理について、オプションユニット（給紙ユニット５０）側の処理と、本体側制御部１１側の処理と、をそれぞれフローチャートにより示している。オプションユニット側の処理は、主に、給紙ユニット５０個々のユニット側制御部５１のＳｏＣ５２が同様に実行し、本体側制御部１１側の処理は、ＳｏＣ１１Ａが実行する。これら処理は、基本的には複合機１０の電源が投入される度に実行される。
【００３１】
まず複合機１０の電源が投入されると、ＳｏＣ１１Ａがスリープ状態から起動する。ＳｏＣ１１Ａは、複合機１０が備える図示しない電源回路を制御することにより、電源回路から複合機１０が備える各ユニット（ファクシミリユニット２０、スキャナーユニット３０、印刷ユニット４０、給紙ユニット５０…）への電源電圧の供給を開始させ、その後、所定時間待機する（ステップＳ２００）。ここで言う所定時間とは、複合機１０の電源が投入されてから複合機１０が搭載可能な最大数の給紙ユニット５０が起動するまでに必要な時間であり、予め決められている。複合機１０に搭載される給紙ユニット５０の台数は、前記最大数（例えば５台）以内でユーザーの任意である。しかし、当該所定時間の待機をした上でステップＳ２１０以下へ進むことで、実際に複合機１０に搭載されている給紙ユニット５０の全てを対象として後述のＩＤ設定を円滑に行うことができる。
【００３２】
一方、各給紙ユニット５０は、前記所定時間の間に、前記電源回路からの電源供給を受けて起動する（ステップＳ１００）。つまり、ユニット側制御部５１のＳｏＣ５２が起動し、また、給紙ユニット５０内の各部（ローラー５７等）の駆動に必要な電源が生成されて当該各部が駆動可能な状態となる。この際、各給紙ユニット５０は、上位側出力端子５６（５６Ａ，５６Ｂ，５６Ｃ）を所定のロー（Ｌ）レベルに切り替える。
【００３３】
次に、給紙ユニット５０では、ＳｏＣ５２が、下位側信号線ＬＬの電位が所定のＬレベルであるか否か（Ｈレベルであるか）判定する（ステップＳ１１０）。Ｌレベルは「第１電位」の一例であり、Ｈレベルは「第２電位」の一例である。ただし、第１電位と第２電位は、それらの間に明確な差があればよく、第２電位の方を高電位とすることは発明の思想上必須ではない。本実施形態では、ＳｏＣ５２は、給紙ユニット５０の「初期化処理」を完了するまでは上位側出力端子５６からの出力（上位側信号線ＵＬの電位）をＬレベルに維持し、当該初期化処理を完了した場合に当該出力をＨレベルへ切替える。従って、下位側信号線ＬＬの電位がＬレベルである場合は、下位に在る給紙ユニット５０の上位側出力端子５６からの出力がＬレベルであり、当該下位の給紙ユニット５０の初期化処理が完了していないことを意味する。一方、下位側信号線ＬＬの電位がＨレベルである場合は、下位の給紙ユニット５０の初期化処理が完了したか、あるいは、そもそも下位に給紙ユニット５０が存在しないことを意味する（下位側信号線ＬＬがＨレベルへプルアップされているため。）。
【００３４】
給紙ユニット５０の初期化処理とは、後述するＩＤの設定を少なくとも含む処理である。ステップＳ１１０の判定は、下位側入力端子５５の電位を検知することにより行う。下位側信号線ＬＬの電位がＬレベルである場合は、ＳｏＣ５２は、下位側信号線ＬＬの電位がＨレベルとなるまでステップＳ１１０の判定を繰り返す。ＳｏＣ５２は、下位側信号線ＬＬの電位がＨレベルであると判定すると、ステップＳ１２０以下へ進む。ステップＳ１２０へ進んだ給紙ユニット５０は、ＩＤ待ちの状態へ移行する。
【００３５】
本体側制御部１１では、ＳｏＣ１１Ａが、下位側信号線Ｌ３の電位がＬレベルであるか否か（Ｈレベルであるか）判定する（ステップＳ２１０）。当該判定は、下位側入力端子１７の電位を検知することにより行う。下位側信号線Ｌ３の電位がＬレベルである場合は、少なくとも最上位の給紙ユニット５０の初期化処理が完了していないということであり、ステップＳ２２０へ進む。一方、下位側信号線Ｌ３の電位がＨレベルである場合は、全ての給紙ユニット５０の初期化処理が完了したことを認識し、ＳｏＣ１１Ａは、図３のフローチャートを終える。
【００３６】
ステップＳ２２０では、ＳｏＣ１１Ａは、複合機１０に搭載されている給紙ユニット５０の数を示す値ｉに１を加える（インクリメントする）。ｉの初期値は０である。
ステップＳ２３０では、ＳｏＣ１１Ａは、ｉ番目のＩＤ（ＩＤｉ）を、ＩＤ待ち状態の給紙ユニット５０のためのＩＤである旨を記述した特定のヘッダーを付した状態で送信端子１５から送信する。ＩＤｉは、結果的に給紙ユニット５０毎にユニークな情報であればよく、値ｉに応じて予め決められた数字等でもよいし、ステップＳ２３０の都度、乱数等により新たに生成してもよい。ステップＳ２３０で送信されたＩＤｉは、信号線Ｌ１に受信端子５４を接続させた全てのユニット側制御部５１のＳｏＣ５２に到達する。
【００３７】
給紙ユニット５０のＳｏＣ５２は、前記特定のヘッダーを読むことにより、ＩＤ待ち状態の給紙ユニット５０のためのＩＤが送信されたことを認識し、現在自己がＩＤ待ち状態（ステップＳ１２０）である場合に限り、前記特定のヘッダーが付されたＩＤｉを受信する（ステップＳ１３０）。ＩＤｉを受信したＳｏＣ５２は、当該受信したＩＤｉを自己（自己を有する給紙ユニット５０）を識別するためのＩＤとして、所定のメモリーに記憶（設定）する（ステップＳ１４０）。
【００３８】
ステップＳ１４０のＩＤ設定を含む初期化処理を終えたＳｏＣ５２は、上位側出力端子５６からの出力（上位側信号線ＵＬの電位）をＨレベルに切替え（ステップＳ１５０）、そして、ＩＤｉの設定完了の旨をＳｏＣ１１Ａへ通知する（ステップＳ１６０）。これにより、ＳｏＣ５２はＩＤ待ちの状態を解除し、ＩＤ設定処理を終了する。当該ステップＳ１６０での通知は、信号線Ｌ２に接続させた送信端子５３から送信する。以上により、１台の給紙ユニット５０におけるＩＤ設定を含む初期化処理が完了する。初期化処理には、上述したＩＤ設定の他に、例えば、給紙ユニット５０に蓄積された用紙Ｍのサイズや種類、紙詰まりの有無、その他給紙ユニット５０の状態を信号線Ｌ２を介してＳｏＣ１１Ａへ通知する処理が含まれるとしてもよい。この場合、前記設定したＩＤが用いられたＳｏＣ１１Ａからの指示に応じて、このような給紙ユニット５０の状態をＳｏＣ１１Ａへ通知するとしてもよい。
【００３９】
本体側制御部１１では、ＳｏＣ１１Ａは、ステップＳ２３０の後、ステップＳ１６０で発行されるＩＤｉの設定完了の通知が来ることを待機し（ステップＳ２４０）、当該通知を受信端子１６により受信した場合に、ステップＳ２１０以下を繰り返し実行する。また、ＳｏＣ１１Ａは、このようなＩＤｉの設定完了の通知を受信することにより、当該ＩＤｉを設定した給紙ユニット５０が存在することを認識する。
【００４０】
図３で説明した処理を、図１，２の構成を参考にして具体的に説明する。まず、ステップＳ２００の待機終了直後においては、最下位の給紙ユニット５０Ｃの下位側信号線ＬＬＣの電位はＨレベルであり、給紙ユニット５０Ｂ，５０Ａの下位側信号線ＬＬＢ，ＬＬＡおよび本体側制御部１１の下位側信号線Ｌ３の電位はＬレベルである。そのため、給紙ユニット５０ＣのみがＩＤ待ち状態（ステップＳ１２０）である。従って、給紙ユニット５０ＣにＩＤ１が設定される（ステップＳ２２０，Ｓ２３０，Ｓ１３０，Ｓ１４０）。
【００４１】
次に、給紙ユニット５０Ｃが上位側出力端子５６Ｃの電位をＬレベルからＨレベルに切替える（ステップＳ１５０）。これにより、給紙ユニット５０Ｂの下位側信号線ＬＬＢの電位もＨレベルとなり（下位側信号線ＬＬＡおよび下位側信号線Ｌ３の電位はＬレベルのまま）、給紙ユニット５０ＢのみがＩＤ待ち状態（ステップＳ１２０）となる。従って、給紙ユニット５０ＢにＩＤ２が設定される（ステップＳ２２０，Ｓ２３０，Ｓ１３０，Ｓ１４０）。
【００４２】
次に、給紙ユニット５０Ｂが上位側出力端子５６Ｂの電位をＨレベルに切替える（ステップＳ１５０）。これにより、給紙ユニット５０Ａの下位側信号線ＬＬＡの電位もＨレベルとなり（下位側信号線Ｌ３の電位はＬレベルのまま）、給紙ユニット５０ＡのみがＩＤ待ち状態（ステップＳ１２０）となる。従って、給紙ユニット５０ＡにＩＤ３が設定される（ステップＳ２２０，Ｓ２３０，Ｓ１３０，Ｓ１４０）。
【００４３】
次に、給紙ユニット５０Ａが上位側出力端子５６Ａの出力をＨレベルに切替える（ステップＳ１５０）。これにより、本体側制御部１１の下位側信号線Ｌ３の電位もＨレベルとなり、ステップＳ２１０においてＨレベルと判定される。以上の処理により、本体側制御部１１（ＳｏＣ１１Ａ）は、合計で３個のＩＤの設定を確認できたため（ステップＳ２４０）、複合機１０には全部で３台の給紙ユニット５０が搭載されていることを認識でき、かつ、最下位の給紙ユニット５０（５０Ｃ）を１番目のＩＤ（ＩＤ１）で識別し、次に上位の給紙ユニット５０（５０Ｂ）を２番目のＩＤ（ＩＤ２）で識別し、最上位の給紙ユニット５０（５０Ａ）を３番目のＩＤ（ＩＤ３）で識別することができる。これによってＩＤ設定処理を終了する。
【００４４】
以後、本体側制御部１１（ＳｏＣ１１Ａ）は、給紙ユニット５０毎のＩＤを用いることにより、通信相手の給紙ユニット５０を特定して信号線Ｌ１，Ｌ２を介した各給紙ユニット５０とのＵＡＲＴ通信を実行することができる。例えば、本体側制御部１１（ＳｏＣ１１Ａ）は、給紙ユニット５０毎のＩＤを用いて、各給紙ユニット５０に給紙の指示（給紙コマンドの送信）を行う。給紙ユニット５０は、自己を特定するＩＤを伴う給紙コマンドを受けた場合に、当該給紙コマンドに応じて、蓄積した用紙Ｍあるいは下位の給紙ユニット５０から供給された用紙Ｍを上位の給紙ユニット５０あるいは印刷ユニット４０へ供給する。
【００４５】
このように本実施形態によれば、給紙ユニット５０のＩＤ設定が下位から上位に向かって１台ずつ実行されたことが、給紙ユニット５０が備える上位側信号線ＵＬ、下位側信号線ＬＬおよび本体側制御部１１が備える下位側信号線Ｌ３を通じて下位から上位に向かって伝わる構成とした。そのため複合機１０では、ユーザーによって任意に搭載された給紙ユニット５０の台数に依存せず、自動的に最下位の給紙ユニット５０から最上位の給紙ユニット５０にかけて順番に給紙ユニット５０毎にユニークなＩＤが設定され、以後、各給紙ユニット５０を確実に識別しながら駆動を制御することができる。従って、ユーザーにＩＤ設定の手間を一切煩わせることなく、かつ、ＩＤの誤設定も生じない。
【００４６】
また、各給紙ユニット５０へのＩＤの送信（ステップ２３０）やＩＤの設定完了の通知（ステップＳ１６０）や、本体側制御部１１とＩＤ設定後の各給紙ユニット５０との通信は、共通の信号線Ｌ１，Ｌ２を通じて行われる。そのため、接続する給紙ユニット５０の台数に応じて給紙ユニット５０のＩＤ設定や制御に要する信号線数を多く必要とする、ということが無く、オプションユニットの増設やオプションユニットとの通信を実現するためのコスト上昇（製品仕様の高額化）を招かない。
なお、給紙ユニット５０のＳｏＣ５２は、上位側出力端子５６からの出力（上位側信号線ＵＬの電位）をＬレベルからＨレベルへ切替えるタイミングを、必ずしも前記初期化処理の完了後とするのではなく、前記初期化処理の途中としてもよい。例えば上述したように、ＩＤ設定処理が初期化処理の一部であるならば、ＳｏＣ５２は、ＩＤを設定したタイミングであって初期化処理が完了していないようなタイミングで上位側出力端子５６からの出力をＬレベルからＨレベルへ切替えるとしてもよい。また、給紙ユニット５０の状態については、初期化処理が完了するまでの状態の一部あるいは全部を称して初期状態と呼び、初期化処理完了後の状態を（後述の異常状態を除いて）通常状態と呼んでもよい。
【００４７】
３．オプションユニットの異常検知
次に、前記ＩＤ設定を含むオプションユニットの初期化処理を終えた複合機１０において実行される、オプションユニットの異常検知処理について説明する。給紙ユニット５０等のオプションユニットでは、前記供給される電源電圧や、ユニット側制御部５１内部で生成するロジック電源などの異常、静電気の発生、等に起因して、個々にリセットする（駆動を停止し初期状態に戻る）ことがある。このようにリセットした状態は、一種の異常状態である。この場合、本体側では、できるだけ早期に当該リセット（いずれかのオプションユニットにおける異常発生）を検知し、リセットされていない他のオプションユニットを含む装置全体を安全に停止させる等の処理を行なう必要がある。
【００４８】
図４は、異常検知処理のための接続回路６０を有するユニット側制御部５１を例示している。接続回路６０は、全ての給紙ユニット５０Ａ，５０Ｂ，５０Ｃ（全てのユニット側制御部５１Ａ，５１Ｂ，５１Ｃ）内に同じ構成で設けられている。接続回路６０は、ユニット側制御部５１内の上位側信号線ＵＬと下位側信号線ＬＬとを接続するように設けられている。接続回路６０は、概略的には、下位の給紙ユニット５０に異常（リセット）が発生したことによる下位側信号線ＬＬの電位変化に応じて、上位側信号線ＵＬに同じ電位変化を起こさせる。
【００４９】
具体的には、ＳｏＣ５２は、イネーブル端子５８を有する。接続回路６０においては、ＰＮＰ型のトランジスタＱ１が、ベースを、抵抗Ｒ１を介してイネーブル端子５８に接続させている。トランジスタＱ１は、エミッタが例えば３．３Ｖの電源Ｖｃｃに接続しており、かつ、ベースとエミッタを抵抗Ｒ２が接続している。また、接続回路６０においては、ＰＮＰ型のトランジスタＱ２が、ベースを、抵抗Ｒ３を介して下位側信号線ＬＬに接続させている。トランジスタＱ２は、エミッタがトランジスタＱ１のコレクタに接続しており、かつ、ベースとエミッタを抵抗Ｒ４が接続している。
【００５０】
さらに、接続回路６０においては、ＮＰＮ型のトランジスタＱ３が、ベースを、抵抗Ｒ５を介してトランジスタＱ２のコレクタに接続させている。トランジスタＱ３は、エミッタがグラウンドＧＮＤに接続しており、かつ、ベースとエミッタを抵抗Ｒ６が接続している。トランジスタＱ３のコレクタは、抵抗Ｒ７を介して例えば３．３Ｖの電源Ｖｃｃに接続している。さらにトランジスタＱ３のコレクタは、上位側信号線ＵＬと接続している。
【００５１】
このような構成において、ＳｏＣ５２は、前記初期化処理が完了するまでは、イネーブル端子５８をＨｉ‐Ｚ（無効状態）に維持し、前記初期化処理が完了した場合（通常状態となった場合）に、イネーブル端子５８をＬレベルの出力に切替える。これにより、前記初期化処理が完了した場合に、トランジスタＱ１がオン状態となり、トランジスタＱ２への電源供給が開始される（トランジスタＱ２が動作可能な状態となる）。
【００５２】
上述したように、前記初期化処理が完了した後は、下位側信号線ＬＬの電位はＨレベルに維持されている。しかし、給紙ユニット５０のユニット側制御部５１（ＳｏＣ５２）は、自己をリセットした場合、再び前記初期化処理を行う前の状態（初期状態）に戻るため、上位側出力端子５６の出力を再びＬレベルとする。従って、ある給紙ユニット５０（例えば、給紙ユニット５０Ｃ）がリセットすると、当該給紙ユニット５０（給紙ユニット５０Ｃ）の上位側出力端子５６の出力がＬレベルへ切替わることに伴い、当該給紙ユニット５０（給紙ユニット５０Ｃ）の一つ上位の給紙ユニット５０（給紙ユニット５０Ｂ）の下位側信号線ＬＬの電位もＬレベルとなる。
【００５３】
トランジスタＱ２のベースは下位側信号線ＬＬに接続しており、下位側信号線ＬＬの電位がＨレベルに保たれている間は、トランジスタＱ２はオフ状態を保つ。一方、下位側信号線ＬＬの電位がＬレベルとなった場合、トランジスタＱ２はオン状態になる。例えば、給紙ユニット５０Ｂが有する接続回路６０では、下位に存在する給紙ユニット５０Ｃがリセットした場合にトランジスタＱ２がオン状態になる。トランジスタＱ２がオン状態になると、トランジスタＱ３のベースの電位が抵抗Ｒ５，Ｒ６の分圧比に応じて上昇してトランジスタＱ３がオン状態になる。これにより、トランジスタＱ３のコレクタが繋がる信号線の電位がグラウンドＧＮＤに引っ張られてＬレベルとなり、同時に上位側信号線ＵＬの電位もＬレベルとなる。
【００５４】
この後、一つ上位の給紙ユニット５０（給紙ユニット５０Ａ）の接続回路６０においても同様の切替え（トランジスタＱ２，Ｑ３のオン）が発生する。このような接続回路６０が備えるトランジスタＱ２，Ｑ３は、下位側信号線ＬＬの第２電位からの電位変化（ＨレベルからＬレベルへの変化）に応じて、上位側信号線ＵＬの電位を第２電位から切替える（ＨレベルからＬレベルへ切替える）スイッチとして機能し、トランジスタＱ１は、スイッチ（トランジスタＱ２）の動作に必要な電源を供給する電源供給部として機能すると言える。
【００５５】
図２からも判るように、給紙ユニット５０毎のユニット側制御部５１（ＳｏＣ５２）は、本体側制御部１１（ＳｏＣ１１Ａ）の下位側入力端子１７を起点として、下位側信号線Ｌ３、上位側信号線ＵＬ（ＵＬＡ，ＵＬＢ，ＵＬＣ）および下位側信号線ＬＬ（ＬＬＡ，ＬＬＢ，ＬＬＣ）を介して直列で接続されている。上述した接続回路６０を各ユニット側制御部５１が備える構成によれば、各ユニット側制御部５１（ＳｏＣ５２）が直列接続されたいずれか一つの給紙ユニット５０がリセットしたとき、当該リセットに伴う当該給紙カセット５０の上位側出力端子５６の電位変化が、接続の上位に位置する各給紙ユニット５０へ順に伝わる。従って、本体側制御部１１（ＳｏＣ１１Ａ）は、最上位の給紙ユニット５０の上位側信号線ＵＬと繋がる下位側信号線Ｌ３の電位変化（ＨレベルからＬレベルへの変化）を下位側入力端子１７において監視することにより、給紙ユニット５０の少なくとも一つに異常が発生した（リセットが生じた）ことを確実かつ迅速に検知することができる。
【００５６】
なお、本体側制御部１１（ＳｏＣ１１Ａ）は、複合機１０に関する通常の各種制御を実行する中で、各給紙ユニット５０に対して割り込みにより現在の状態（異常の有無）を繰り返し問い合わせることも可能である。本体側制御部１１は、当該問い合わせに対する給紙ユニット５０側からの応答を得ることにより、異常の有無を検知することができる。ただし、このような問い合わせを契機とした異常検知は、当該問い合わせの間隔に依存するため迅速性に課題があった。一方、上述の接続回路６０を用いた手法によれば、本体側制御部１１（ＳｏＣ１１Ａ）から各給紙ユニット５０へ問い合わせを行うのではなく、いずれかの給紙ユニット５０でリセット（異常）が発生した場合に、異常発生に伴う電位変化が各給紙ユニット５０の接続回路６０を経由して直ちに本体側制御部１１（ＳｏＣ１１Ａ）へ伝わる。そのため、異常検知に関する迅速性がより優れていると言える。
【００５７】
また本実施形態によれば、接続回路６０は個々の給紙ユニット５０が有しているため、給紙ユニット５０を複合機１０に搭載させるだけで、前記異常検知のための配線が完成する。そのため、本体側制御部１１を含む複合機１０の本体側で、給紙ユニット５０個々の異常を検知するための給紙ユニット５０それぞれと接続する専用の制御線を設ける必要が無く、前記異常検知に要する配線コストを抑えることができる。
【００５８】
接続回路６０の具体的構成は図４に示したものに限られず、例えば、図５に示す構成としてもよい。図５に示した接続回路６０では、トランジスタＱ１を廃し、イネーブル端子５８をトランジスタＱ２へ直接に繋げている。図５の構成においては、ＳｏＣ５２は、前記初期化処理が完了した場合に、イネーブル端子５８から、トランジスタＱ２を動作可能な状態とするレベルの電源電圧の供給を開始する。つまりイネーブル端子５８が、スイッチ（トランジスタＱ２）の動作に必要な電源を供給する電源供給部として機能する。
【００５９】
４．他の実施形態
本発明は上述の実施形態に限られるものではなく、その要旨を逸脱しない範囲において種々の態様において実施することが可能であり、例えば後述するような実施形態を採用可能である。各実施形態を組み合わせた構成も、本発明の開示範囲に入る。
【００６０】
本体側制御部１１とユニット側制御部５１との間に構築される通信システムは、ＵＡＲＴ通信に限定されるものではない。例えば、当該通信システムでは、Ｉ２Ｃ(Inter-Integrated Circuit) 通信等、他のシリアル通信を採用してもよい。Ｉ２Ｃ通信が採用される場合、信号線Ｌ１，Ｌ２の一方はクロック信号の送信に使用され、他方はデータ信号の送信に使用される。また、通信システムには、ＵＳＢ（Universal Serial Bus）通信等が採用されてもよい。さらに、これら通信は無線で行ってもよい。
【００６１】
オプションユニットを上述のように給紙ユニット５０として把握した場合、給紙ユニット５０を増設可能な製品であれば本発明を適用可能である。つまり、本発明を適用する製品は、給紙を必要とし且つファクシミリ装置や複合機に該当しないプリンター等の製品であってもよい。
【００６２】
上述した通信システムは、ファクシミリ装置、複合機、プリンター等の独立した製品内に構築されるものであってもよいし、複数の製品や装置に跨って構築されるものであってもよい。また、オプションユニットは、給紙ユニットに限定されない。つまり本発明が提案する、制御部（制御装置）とオプションユニットとの関係は、ある場面に構築される通信システムを制御する側（マスター）と、通信システムに接続して個々に識別されながら制御される側（スレーブ）との関係に広く適用される。例えば、電気自動車に搭載される複数のバッテリー（電池）を想定したとき、バッテリーをコントロールする車載のコントローラーが、本発明が提案する制御部（制御装置）に該当し、当該コントローラーによってコントロールされる各バッテリーが、本発明が提案するオプションユニットに該当する。あるいは、ＰＣと、これにユーザーによって任意に増設される増設機器とを想定したとき、ＰＣが、本発明が提案する制御部（制御装置）に該当し、増設機器が、本発明が提案するオプションユニットに該当する。
【００６３】
このような、給紙ユニットを搭載する製品に止まらない広い観点に立てば、本実施形態は前記「２．オプションユニットの識別情報の設定」を実現するために、通信を制御する制御部を含む通信システムに一台以上接続されるオプションユニットであって、接続が上位のオプションユニットの下位側信号線と接続する上位側信号線と、接続が下位のオプションユニットの上位側信号線と接続する下位側信号線と、制御回路と、を有し、前記制御回路は、初期化処理の完了までは上位側信号線の電位を第１電位とし、下位側信号線の電位が第２電位であれば当該初期化処理を開始し、当該初期化処理の完了後に上位側信号線の電位を前記第１電位から前記第２電位へ変更し、前記初期化処理は、前記制御部から送信される前記オプションユニット毎にユニークな識別情報を設定する処理と、前記設定した識別情報が用いられた前記制御部からの指示に応じた処理と、を行なう構成を開示していると言える。さらに、本実施形態は、前記「２．オプションユニットの識別情報の設定」を実現するために、オプションユニットを一台以上接続する通信システムを制御する制御装置であって、前記オプションユニットのうち接続が最上位の前記オプションユニットと接続する信号線を有し、前記オプションユニットを対象として、前記通信システムを通じてユニークな識別情報を送信する処理を、当該識別情報を設定した旨の返信を前記通信システムを通じていずれか一つの前記オプションユニットから得た場合に繰り返し実行し、前記識別情報を設定した前記オプションユニットが上位へ検知させる電位の変化を、前記信号線において検知した場合に、全ての前記オプションユニットがユニークな前記識別情報を設定したと認識する構成を開示していると言える。
【００６４】
前記広い観点に立てば、さらに本実施形態は前記「３．オプションユニットの異常検知」を実現するために、通信を制御する制御部を含む通信システムに一台以上接続されるオプションユニットであって、接続が上位のオプションユニットの下位側信号線あるいは前記制御部が備える下位側信号線と接続する上位側信号線と、接続が下位のオプションユニットの上位側信号線と接続する下位側信号線と、制御回路と、を有し、前記制御回路は、初期状態では上位側信号線の電位を第１電位とし、通常状態では上位側信号線の電位を前記第１電位と異なる第２電位とし、下位のオプションユニットに異常が発生したことによる前記下位側信号線の前記第２電位からの電位変化に応じて、前記上位側信号線の電位を前記第２電位から変化させる構成を開示していると言える。さらに、本実施形態は、前記「３．オプションユニットの異常検知」を実現するために、オプションユニットを一台以上接続する通信システムを制御する制御装置であって、直列で接続している前記オプションユニットのうち接続が最上位の前記オプションユニットと接続する信号線を有し、前記信号線の電位の変化により前記オプションユニットの少なくとも一つに異常が発生したことを検知する構成を開示していると言える。
【符号の説明】
【００６５】
１０…ファクシミリ装置（複合機）、１１…本体側制御部、１１Ａ…ＳｏＣ、１２…ＣＰＵ、１３…ＲＯＭ、１４…ＲＡＭ、１５…送信端子、１６…受信端子、１７…下位側入力端子、２０…ファクシミリユニット、３０…スキャナーユニット、４０…印刷ユニット、５０，５０Ａ，５０Ｂ，５０Ｃ…給紙ユニット、５１，５１Ａ，５１Ｂ，５１Ｃ…ユニット側制御部、５２，５２Ａ，５２Ｂ，５２Ｃ…ＳｏＣ、５３，５３Ａ，５３Ｂ，５３Ｃ…送信端子、５４，５４Ａ，５４Ｂ，５４Ｃ…受信端子、５５，５５Ａ，５５Ｂ，５５Ｃ…下位側入力端子、５６，５６Ａ，５６Ｂ，５６Ｃ…上位側出力端子、５７…ローラー、５８…イネーブル端子、６０…接続回路、Ｌ１，Ｌ２…信号線、Ｌ３，ＬＬ，ＬＬＡ，ＬＬＢ，ＬＬＣ…下位側信号線、Ｍ…用紙、Ｑ１，Ｑ２，Ｑ３…トランジスタ、ＵＬ，ＵＬＡ，ＵＬＢ，ＵＬＣ…上位側信号線
【図１】
2015154116.tif 000003
【図２】
2015154116.tif 000004
【図３】
2015154116.tif 000005
【図４】
2015154116.tif 000006
【図５】
2015154116.tif 000007